(57)【特許請求の範囲】
【請求項１】
複数の光源を有する基板と、矩形板状をなし、矩形板の長手の縁部から直角に突出した光源支持部を有し、該光源支持部により前記基板を支持して前記光源の熱を放熱する放熱板と、前記光源からの光を側面から入射して主面から出射する導光板と、該導光板を支持する導光板支持板と、前記放熱板の矩形板部分及び前記導光板支持板が底面に取り付けられるシャーシとを備える面発光装置であって、
前記放熱板を前記導光板支持板に固定してあり、
前記放熱板は、前記側面と前記基板とが対向する方向に長い孔にビスを挿通した状態で前記シャーシに固定してあることを特徴とする面発光装置。
【請求項２】
前記放熱板は前記導光板支持板に、ピンにより固定してあることを特徴とする請求項１に記載の面発光装置。
【請求項３】
前記導光板及び前記導光板支持板は、略等しい熱膨張係数を有する材料からなることを特徴とする請求項１又は２に記載の面発光装置。
【請求項４】
前記導光板は、一側面から前記光源の光を入射するように構成され、
前記放熱板の前記導光板支持板側の端部を、前記導光板支持板の前記光源側の端部に重ね合わせるように構成され、
前記ピンは、前記導光板支持板側の前記光源側の端縁部寄りに設けられていることを特徴とする請求項２又は３に記載の面発光装置。
【請求項５】
請求項１から４までのいずれか１項に記載の面発光装置と、
該面発光装置からの光を用いて画像を表示する表示パネルと
を備えることを特徴とする画像表示装置。
【請求項６】
テレビ放送信号を受信する受信部と、
請求項５に記載の画像表示装置と
を備え、
前記受信部が前記テレビ放送信号を受信して前記画像表示装置の前記表示パネルにテレビ画像を表示することを特徴とするテレビジョン受像装置。
【発明の詳細な説明】
【技術分野】
【０００１】
本発明は、エッジライト方式のバックライトを有する面発光装置、並びに該面発光装置を備える画像表示装置及びテレビジョン受像装置に関する。
【背景技術】
【０００２】
液晶表示装置は、薄型、低消費電力を特徴とし、近年、その表示品位の向上により、従来のＣＲＴに代わるディスプレイとして普及しており、テレビジョン受像機（以下、ＴＶ受像機という）の画像表示装置としても幅広く用いられている。液晶表示装置は、自己発光型のデバイスとは異なり、光源としてのバックライトを必要とし、液晶の電気光学特性により決定される光透過率を制御して画像を表示する。
【０００３】
バックライトにはエッジライト方式（サイドライト方式、導光板方式）と直下型方式とがある。エッジライト型のバックライトを有する液晶表示装置の場合、矩形箱状のシャーシに、導光板、光学シート、及び光源モジュールを収納してなるバックライトユニットを液晶表示パネルの背面に配して構成される。光源モジュールは、細長い基板の平面に、複数のＬＥＤを実装してなる。バックライトユニットが両側のエッジライト型である場合、光源モジュールは、矩形板状の導光板の一対の長側面に配される。ＬＥＤから発光し、導光板の長側面に入射した光は導光板の主面から出射して、液晶表示パネルの背面を照射する。
【０００４】
図９は、従来のエッジ型のバックライトを有するバックライトユニットのシャーシ１を示す平面図、図１０はシャーシ１の角部の拡大平面図である。なお、図９及び図１０において、導光板を省略している。
シャーシ１は両短手縁部の略中央部に位置決めピン１５を、両長手縁部の端部に位置決めピン１７を備えている。
シャーシ１の両短辺には導光板ホルダ１２がそれぞれ設けられており、導光板ホルダ１２は導光板（図示せず）の両短辺側部分を載置した状態で導光板を支持する。導光板の両短手縁部には、後述する突起部１２ａに対応する凹部が形成されている。導光板ホルダ１２は、長手縁部の複数箇所に矩形の突起部１２ａを有し、長手方向の略中央部に、シャーシ１の位置決めピン１５に対応する位置決めピン挿通孔１２ｂを有する。導光板ホルダ１２は、位置決めピン挿通孔１２ｂに位置決めピン１５を挿通してシャーシ１上に位置決めした後、長手方向の複数箇所でビス１６によりシャーシ１にビス止めされる。そして、導光板ホルダ１２の前記突起部１２ａに導光板の対応する凹部を嵌合した状態で、導光板が導光板ホルダ１２上に載置され、固定される。
【０００５】
そして、シャーシ１の両長辺にヒートスプレッダ１１がそれぞれ設けられている。ヒートスプレッダ１１は平面視においてシャーシ１の長辺に沿って延びる矩形板状をなしており、長手両縁部側に突設され、複数箇所でシャーシ１にビス１３によりビス止めする固定部１１ｃ，１１ｄを有する。そして、ヒートスプレッダ１１の外側の長手縁部から、直角に光源支持部１１ｅが突出している。光源支持部１１ｅはＬＥＤを内側に向ける状態で光源モジュールを支持する。そして、ヒートスプレッダ１１は、固定部１１ｄの端部に、位置決めピン１７に対応する位置決めピン挿通孔１１ｆを有する。ヒートスプレッダ１１は、位置決めピン挿通孔１１ｆに位置決めピン１７を挿通してシャーシ１上に位置決めした後、長手方向の複数箇所でビス１３によりシャーシ１にビス止めされる。光源支持部１１ｅにＬＥＤが設けてあり、ＬＥＤにより生じた熱は、ヒートスプレッダ１１を伝熱してシャーシ１の底面から放熱される。図９に示すように、ヒートスプレッダ１１と導光板ホルダ１２とはシャーシ１の角部で嵌合されている。
【０００６】
図１１は導光板２、ヒートスプレッダ１１、及び導光板ホルダ１２の配置を示す模式的平面図、図１２は導光板２、ヒートスプレッダ１１、及び導光板ホルダ１２の配置を示す模式的斜視図である。
図１１に示すように、導光板ホルダ１２をシャーシ１上に位置決めピン１５により取り付ける際に、取付誤差ａが生じる。そして、ヒートスプレッダ１１をシャーシ１上に位置決めピン１７により取り付ける際に、取付誤差ｂが生じる。従って、図１１及び図１２に示すように、導光板２とＬＥＤ４とのクリアランスの誤差は、部品公差をαとした場合、（ａ＋ｂ＋α）となる。このように、前記クリアランスは部品の取付誤差に影響されるため、変化幅が大きく、該クリアランスを一定に保持するのは困難である。該クリアランスの誤差が大きい場合、液晶表示パネルにおいて面方向に輝度ムラが生じる、製品間で輝度（光学特性）誤差がある等の品位上の問題が生じることになる。
【０００７】
特許文献１には、導光板とＬＥＤとのクリアランスを一定に保つため、シャーシ上にヒートスプレッダをスライドさせる構造を設け、さらに導光板とヒートスプレッダとを接着剤で固定し、導光板とＬＥＤとが一体化して動くようにしたバックライトユニットの発明が開示されている。
特許文献２には、導光板及び光源をそれぞれヒートスプレッダにビスで固定することで、導光板とＬＥＤとのクリアランスを一定に保持するようにした面状照明装置の発明が開示されている。
特許文献３には、導光板とＬＥＤとをコの字状のカバー（クリップ状）で固定して一体化することで、導光板とＬＥＤとのクリアランスを一定に保持するようにした面状照明装置の発明が開示されている。
【先行技術文献】
【特許文献】
【０００８】
【特許文献１】特開２０１１−１３４７１５号公報
【特許文献２】特開２００９−２７７６４１号公報
【特許文献３】特開２００４−３９５７０号公報
【発明の概要】
【発明が解決しようとする課題】
【０００９】
特許文献１の場合、導光板とヒートスプレッダとを接着剤で固定する必要があり、作業が煩雑であるという問題がある。
特許文献２の場合、導光板にビス孔を設ける必要があり、導光板のコストアップに繋がるとともに、輝度ムラ等が生じて表示品位が悪くなるという問題がある。
特許文献３の場合、バー状の光源がカバー部材で被覆されるので放熱されにくいという問題がある。
【００１０】
本発明は斯かる事情に鑑みてなされたものであり、簡単な構成で導光板と光源とのクリアランスの誤差を小さくして導光板への入光効率を一定にし、放熱性を損なうことなく、表示パネルの面方向の輝度ムラ及び製品間の輝度誤差を抑制することができ、前記クリアランスの設計値を小さくして輝度を向上させることができる面発光装置、並びに該面発光装置を備える画像表示装置及びテレビジョン受像装置を提供することを目的とする。
【課題を解決するための手段】
【００１１】
本発明に係る面発光装置は、複数の光源を有する基板と、矩形板状をなし、矩形板の長手の縁部から直角に突出した光源支持部を有し、該光源支持部により前記基板を支持して前記光源の熱を放熱する放熱板と、前記光源からの光を側面から入射して主面から出射する導光板と、該導光板を支持する導光板支持板と、前記放熱板の矩形板部分及び前記導光板支持板が底面に取り付けられるシャーシとを備える面発光装置であって、前記放熱板を前記導光板支持板に固定してあり、前記放熱板は、前記側面と前記基板とが対向する方向に長い孔にビスを挿通した状態で前記シャーシに固定してあることを特徴とする。
【００１２】
本発明に係る面発光装置は、前記放熱板は前記導光板支持板に、ピンにより固定してあることを特徴とする。
【００１４】
本発明に係る面発光装置は、前記導光板及び前記導光板支持板は、略等しい熱膨張係数を有する材料からなることを特徴とする。
【００１５】
本発明に係る面発光装置は、前記導光板は、一側面から前記光源の光を入射するように構成され、前記放熱板の前記導光板支持板側の端部を、前記導光板支持板の前記光源側の端部に重ね合わせるように構成され、前記ピンは、前記導光板支持板側の前記光源側の端縁部寄りに設けられていることを特徴とする。
【００１６】
本発明に係る画像表示装置は、上述の面発光装置と、該面発光装置からの光を用いて画像を表示する表示パネルとを備えることを特徴とする。
【００１７】
本発明に係るテレビジョン受像装置は、テレビ放送信号を受信する受信部と、上述の画像表示装置とを備え、前記受信部が前記テレビ放送信号を受信して前記画像表示装置の前記表示パネルにテレビ画像を表示することを特徴とする。
【００１８】
本発明においては、放熱板と導光板支持板とが一体化しており、導光板支持板は導光板とも一体化され、すなわち放熱板、導光板支持板、及び導光板が一体化されるので、導光板支持板のシャーシへの取付誤差がある場合でも、導光板と基板とのクリアランスには影響しない。従って、前記クリアランスの誤差は、放熱板の導光板支持板への取付誤差、並びに放熱板、導光板支持板、及び導光板の部品公差のみに基づくことになり、小さくすることができる。よって、導光板への入光効率が一定になる。そして、前記クリアランスの誤差が小さくなることで該クリアランスの設計値を小さくすることができ、これにより入射効率を向上させることができる。
また、本発明の面発光装置は、ピンにより放熱板を前記導光板支持板に位置決めしてシャーシに固定することで、作業性が良好になる。そして、特許文献２のように導光板にビス孔を設けることで輝度ムラが生じることもない。さらに、特許文献３と異なり、放熱板の放熱性も良好である。
【００１９】
本発明においては、放熱板は、導光板の入射側面と基板とが対向する方向に長いビス挿通孔を有するので、該方向に放熱板をスライドさせて導光板支持板上に位置決めすることができる。従って、放熱板をビス止めするためのシャーシ上のビス穴の位置誤差が吸収され、導光板と基板とのクリアランスの誤差を小さくすることができる。
【００２０】
本発明においては、導光板及び前記導光板支持板は、略等しい熱膨張係数を有する材料からなるので、熱膨張及び収縮時に導光板と基板とのクリアランスの変化を抑制することができる。
【００２１】
本発明においては、片側エッジライト方式の場合に、放熱板が導光板支持板に固定される部分と、放熱板に支持された基板の平面との距離が短いので、熱膨張及び収縮時に導光板と基板とのクリアランスが変化するのを抑制することができる。
【００２２】
本発明の画像表示装置においては、面発光装置の導光板への入光効率が安定しているので、表示パネルの輝度ムラ及び製品間の輝度誤差が抑制される。そして、前記クリアランスの誤差が小さくなることで該クリアランスの設計値を小さくすることができ、これにより入射効率を向上させることができるので、輝度を向上させることができる。
【００２３】
本発明のテレビジョン受像装置においては、面発光装置の導光板への入光効率が安定しているので、表示パネルの輝度ムラ及び製品間の輝度誤差が抑制され、輝度を向上させることができる。
【発明の効果】
【００２４】
本発明の面発光装置によれば、放熱板と導光板支持板とが一体化しており、放熱板、導光板支持板、導光板が一体化されるので、導光板支持板のシャーシへの取付誤差がある場合でも、導光板と、光源を有する基板とのクリアランスには影響しない。従って、前記クリアランスの誤差は、放熱板の導光板支持板への取付誤差、並びに放熱板、導光板支持板、及び導光板の部品公差のみに基づくことになり、小さくすることができる。よって、導光板への入光効率が一定になる。従って、本発明の面発光装置を備える画像表示装置、テレビ受像装置において、表示パネルの面方向の輝度ムラ及び製品間の輝度誤差が抑制される。さらに、前記クリアランスの誤差が小さくなることで該クリアランスの設計値を小さくすることができ、これにより入射効率を向上させることができるので、表示パネルの輝度を向上させることができる。
そして、本発明の面発光装置によれば、ピンにより放熱板を前記導光板支持板に位置決めしてシャーシに固定することで、作業性が良好になる。そして、特許文献２のように導光板にビス孔を設けることで輝度ムラが生じることもない。さらに、特許文献３と異なり、放熱板の放熱性も良好である。
【図面の簡単な説明】
【００２５】
【図１】本発明の実施の形態に係るテレビジョン受像機を示す斜視図である。
【図２】本発明の実施の形態に係る液晶表示装置を示す斜視図である。
【図３】本発明の実施の形態に係る液晶表示装置を示す縦断面図である。
【図４】本発明の実施の形態に係るヒートスプレッダ及び導光板ホルダのシャーシへの取り付け部分を示す斜視図である。
【図５】図４の拡大図である。
【図６】ヒートスプレッダの導光板ホルダへの取り付け部分を示す断面図である。
【図７】導光板、ヒートスプレッダ、及び導光板ホルダの配置を示す模式的平面図である。
【図８】導光板、ヒートスプレッダ、及び導光板ホルダの配置を示す模式的斜視図である。
【図９】従来のエッジ型のバックライトを有するバックライトユニットのシャーシを示す平面図である。
【図１０】従来のバックライトユニットのシャーシの角部を示す拡大平面図である。
【図１１】従来のバックライトユニットの導光板、ヒートスプレッダ、及び導光板ホルダの配置を示す模式的平面図である。
【図１２】従来のバックライトユニットの導光板、ヒートスプレッダ、及び導光板ホルダの配置を示す模式的斜視図である。
【発明を実施するための形態】
【００２６】
以下、本発明をその実施の形態を示す図面に基づいて具体的に説明する。
図１は、本発明に係るテレビジョン受像機（テレビジョン受像装置：以下、ＴＶ受像機という）１００を示す斜視図である。ＴＶ受像機１００は、後述するバックライトユニット９（面発光装置）を含む液晶表示装置（画像表示装置）１０と、該液晶表示装置１０を挾むようにして収容するキャビネット２０，３０と、電源４０と、チューナ５０と、スタンド６０とを備える。液晶表示装置１０は、全体として横長の略直方体をなし、縦置き状態でキャビネット２０，３０内に収容されている。
【００２７】
図２は液晶表示装置１０を示す斜視図、図３は液晶表示装置１０を示す縦断面図である。
液晶表示装置１０は、液晶表示パネル７と、液晶表示パネル７の背面側に配された片側エッジライト型のバックライトユニット９とを備えている。液晶表示パネル７の表示面側にベゼル８が取り付けられている。そして、表示動作の際には、バックライトユニット９から面状の光が出射され、その光によって液晶表示パネル７の背面が照明される。
液晶表示パネル７は、液晶層と、一対のガラス基板と、偏光板とを有する。一対のガラス基板はシール材を挟んで互いに貼り合わされており、その間に液晶層が挟持されている。そして、偏光板は、一対のガラス基板の液晶層側とは反対側の面上にそれぞれ配されている。
【００２８】
バックライトユニット９は、シャーシ１と、導光板２と、光源モジュール５と、光学シート６とを有する。シャーシ１は、液晶表示パネル７側が開口された略箱状をなす。そして、シャーシ１に、導光板２、光学シート６及び光源モジュール５が収納される。
【００２９】
導光板２は矩形板状をなし、液晶表示パネル７側に対向する主面２ａと、主面２ａの反対面でシャーシ１に対向する裏面と、一対の長側面と、一対の短側面とを有する。そして、一方の長側面である側面２ｂが、導光板２内に光を導入するための光入射面として機能し、側面２ｂから導光板２内へ導入された光は、導光板２の主面２ａから液晶表示パネル７側に向かって出射する。また、導光板２の両短手縁部には、後述する突起部１２ａに対応する凹部が形成されている。
【００３０】
光学シート６は、拡散シート、レンズシート及びＤＢＥＦシート（反射型偏光シート）等を含むシート群であり、導光板２の主面２ａ上に載置されている。そして、この光学シート６によって、導光板２の主面２ａから出射された光の拡散及び集光等が行われる。
【００３１】
光源モジュール５は、導光板２内へ導入する光を生成するためのものであり、導光板２の側面２ｂ側に配されている。光源モジュール５は基板３を有し、該基板３の平面には、複数のＬＥＤ４が実装されている。基板３は、主面２ａの長辺に沿って延び、前記平面に実装された複数のＬＥＤ４が導光板２の側面２ｂと対向するように配される。
【００３２】
図４はバックライトユニット９における、ヒートスプレッダ１１及び導光板ホルダ１２のシャーシ１への取り付け部分を示す斜視図、図５は図４の拡大図、図６はヒートスプレッダ１１の導光板ホルダ１２への取り付け部分を示す断面図である。なお、図４乃至図６において、導光板は省略している。
上述した従来のバックライトユニットと同様に、導光板ホルダ１２は、シャーシ１の両短辺に設けられており、導光板２の両短辺側部分を載置した状態で導光板２を支持する。導光板ホルダ１２は、長手縁部の複数箇所に矩形の突起部１２ａを有し、長手方向の略中央部に、シャーシ１の位置決めピン１５に対応する位置決めピン挿通孔１２ｂを有し、短手縁部には位置決めピン１４が設けられている。導光板ホルダ１２は、位置決めピン挿通孔１２ｂにシャーシ１の位置決めピン１５を挿通してシャーシ１上に位置決めした後、長手方向の複数箇所でビス１６によりシャーシ１にビス止めされる。そして、導光板ホルダ１２の前記突起部１２ａに導光板の対応する凹部を嵌合した状態で、導光板２が導光板ホルダ１２上に載置され、固定される。導光板２及び導光板ホルダ１２は略等しい熱膨張係数を有する材料からなるのが好ましく、例えば、ともにポリカーボネートからなる場合が挙げられる。
【００３３】
本実施の形態のバックライトユニット９は片側エッジライトタイプであるので、ヒートスプレッダ１１はシャーシ１の一長辺に設けられている。ヒートスプレッダ１１は平面視においてシャーシ１の長辺に沿って延びる矩形板状をなしており、長手両縁部側に突設され、複数箇所でシャーシ１にビス１３によりビス止めする固定部１１ｃ，１１ｄを有する。そして、ヒートスプレッダ１１の外側の長手縁部から、直角に光源支持部１１ｅが突出している。光源支持部１１ｅはＬＥＤ４を内側に向ける状態で光源モジュール５を支持する。固定部１１ｃ，１１ｄの各ビス止め箇所には、導光板２の端面２ｂに向かう方向（図４及び図５の上下方向）に長い長円状をなし、ビス１３を挿通するビス挿通孔１１ａを有する。ヒートスプレッダ１１の導光板ホルダ１２側の端部には、位置決めピン１４を挿通する位置決めピン挿通孔１１ｂを有する。
【００３４】
導光板ホルダ１２の端部にヒートスプレッダ１１の端部を重ね、ヒートスプレッダ１１の位置決めピン挿通孔１１ｂに、導光板ホルダ１２に設けられた位置決めピン１４を挿通して、ヒートスプレッダ１１を導光板ホルダ１２上に位置決めする。図６に示すように、導光板ホルダ１２の端部は下部がヒートスプレッダ１１側に延出し、ヒートスプレッダ１１の端部の上部が導光板ホルダ１２側に延出しており、ヒートスプレッダ１１と導光板ホルダ１２とは面一になるように嵌合される。ビス挿通孔１１ａは上述したように長円状をなし、遊びを有するので、ヒートスプレッダ１１を上下方向にスライドさせて、導光板ホルダ１２上にヒートスプレッダ１１を位置決めすることができる。従って、シャーシ１に設けられている、ビス１３をビス止めするためのビス穴の寸法公差に影響されずに、位置決めが行われる。そして、ヒートスプレッダ１１は、長手方向の複数箇所でビス１３によりシャーシ１にビス止めされる。
なお、ヒートスプレッダ１１と導光板ホルダ１２とが重ね合わせ部分で面一になるように構成する場合には限定されない。また、位置決めピン挿通孔１１ｂに位置決めピン１４を挿通して位置決めする場合には限定されず、ヒートスプレッダ１１及び導光板ホルダ１２の一方に切り欠きを設け、他方に該切り欠きに係止させる突起部を設けて、ヒートスプレッダ１１を導光板ホルダ１２に位置決めすることにしてもよい。
【００３５】
図７は導光板２、ヒートスプレッダ１１、及び導光板ホルダ１２の配置を示す模式的平面図、図８は導光板２、ヒートスプレッダ１１、及び導光板ホルダ１２の配置を示す模式的斜視図である。
図７に示すように、導光板ホルダ１２をシャーシ１上に位置決めピン１５により取り付ける際に、取付誤差ａが生じる。しかし、ヒートスプレッダ１１は導光板ホルダ１２と一体化されているので、取付誤差ａ分、位置決めピン１５の位置も動く。そして、導光板２も導光板ホルダ１２に一体化されるので、導光板２とＬＥＤ４とのクリアランスには取付誤差ａは影響しないことになる。さらに、上述したように、ビス挿通孔１１ａは長円状をなし、シャーシ１のヒートスプレッダ１１を取り付けるためのビス穴の寸法公差を吸収するので、ヒートスプレッダ１１のシャーシ１への取り付けにより前記クリアランスが変化するのが抑制されている。
従って、導光板２とＬＥＤ４とのクリアランスの誤差は、ヒートスプレッダ１１の導光板ホルダ１２への取付誤差をｂ、部品公差をαとした場合、（ｂ＋α）となり、図１１及び図１２に示す従来のバックライトユニットのクリアランスの誤差である、（ａ＋ｂ＋α）と比較して縮小している。
【００３６】
そして、本実施の形態においては、導光板２及び導光板ホルダ１２がともにポリカーボネートからなり、熱膨張係数が等しいので、熱膨張及び収縮時に、導光板２及び導光板ホルダ１２の伸縮の差により導光板２とＬＥＤ４とのクリアランスが変化することがない。なお、導光板２及び導光板ホルダ１２を同一材料から構成する場合には限定されないが、略熱膨張係数が等しい材料を用いるのが上記観点から好ましい。
【００３７】
導光板ホルダ１２の導光板２と嵌合する突起部１２ａも光源モジュール５側に設けて、前記クリアランスの熱膨張及び収縮による影響を受けにくくするのが好ましい。
そして、位置決めピン１４と、ヒートスプレッダ１１に支持された基板３の平面との距離を短くすることにより、熱膨張及び収縮時に前記クリアランスの変化を抑制することができる。
【００３８】
以上のように、本実施の形態においては、導光板２とＬＥＤ４とのクリアランスの誤差が低減化されているので、液晶表示装置１０で、バックライトユニット９の光源モジュール５から導光板２への入光効率が一定化し、液晶表示パネル７の面方向の輝度ムラ及び製品間の輝度誤差が抑制される。
そして、前記クリアランスの誤差が小さくなることで、前記クリアランスの設計値を小さくすることができ、これにより入射効率を向上させ、液晶表示パネル７の輝度を向上させることができる。
また、本実施の形態のバックライトユニット９においては、位置決めピン１４よりヒートスプレッダ１１を導光板ホルダ１２に位置決めした上で、シャーシ１に固定するので、作業性は良好である。そして、特許文献２のように導光板２にビス孔を設けることで輝度ムラが生じることもない。さらに、特許文献３と異なり、ヒートスプレッダ１１の放熱性は良好である。
【００３９】
なお、本実施の形態においては、バックライトユニット９が片側エッジライト方式である場合につき説明しているがこれに限定されるものではなく、本発明の面発光装置は両側エッジライト方式のバックライトにも適用することができる。
今回開示された実施の形態は、全ての点で例示であって、制限的なものではないと考えるべきである。本発明の範囲は、上述した意味ではなく、特許請求の範囲と均等の意味及び特許請求の範囲内での全ての変更が含まれることが意図される。
【符号の説明】
【００４０】
１  シャーシ
２  導光板
３  基板
４  ＬＥＤ
５  光源モジュール
６  光学シート
７  液晶表示パネル
９  バックライトユニット
１０  液晶表示装置
１１  ヒートスプレッダ
１１ａ  ビス挿通孔
１１ｂ  位置決めピン挿通孔
１１ｃ、１１ｄ  固定部
１１ｅ  光源支持部
１２  導光板ホルダ
１２ａ  突起部
１２ｂ  位置決めピン挿通孔
１３、１６  ビス
１４、１５  位置決めピン
２０、３０  キャビネット
４０  電源
５０  チューナ
６０  スタンド
１００  ＴＶ受像機
【図１】
0005865065.tif 000002
【図２】
0005865065.tif 000003
【図３】
0005865065.tif 000004
【図４】
0005865065.tif 000005
【図５】
0005865065.tif 000006
【図６】
0005865065.tif 000007
【図７】
0005865065.tif 000008
【図８】
0005865065.tif 000009
【図９】
0005865065.tif 000010
【図１０】
0005865065.tif 000011
【図１１】
0005865065.tif 000012
【図１２】
0005865065.tif 000013